(57)【要約】【課題】ドア枠をドア枠取付け用部材に、作業性よく、簡単に取付けるための取付け構造を提供する。【解決手段】ドア枠３を、該ドア枠を取付けるために用いる部材４に、ネジ２と、ネジ螺合用治具１とによってネジ留めするための構造であって、該ネジ螺合用治具１が、脚部１１１を延設したナット部１１と、上記ドア枠取付け用部材４に設けられるとともに、上記脚部１１１を嵌挿して上記ナット部１１を支持するナット支持部１２と、から構成されることを特徴とする。【選択図】図１
2004052352.tif 000002
【特許請求の範囲】
【請求項１】
ドア枠を、該ドア枠を取付けるために用いる部材に、ネジと、ネジ螺合用治具とによってネジ留めするための構造であって、該ネジ螺合用治具が、脚部を延設したナット部と、上記ドア枠取付け用部材に設けられるとともに、上記脚部を嵌挿して上記ナット部を支持するナット支持部とから構成されることを特徴とするドア枠の取付け構造。
【請求項２】
上記ナット支持部が、上記ナット部に延設された脚部を上下方向に嵌挿する嵌挿部を備えるように、上記ドア枠取付け用部材に設けられた請求項１記載のドア枠の取付け構造。
【請求項３】
上記ナット支持部が上記ドア枠取付け用部材に穿設された横長の長孔とされているとともに、上記ナット部に延設された脚部が、該長孔に貫入し、上記ドア枠とドア枠取付け用部材との隙間に垂下するよう屈曲された請求項１記載のドア枠の取付け構造。
【請求項４】
上記ナット支持部が上記ドア枠取付け用部材に穿設された上下２つの横長の長孔とされているとともに、上記ナット部の上下に相対向して延設された屈曲自在の２本の脚部が、上記各々の長孔に貫入し、上記ドア枠とドア枠取付け用部材との隙間で上下に広がるように折り曲げられた請求項１記載のドア枠の取付け構造。
【請求項５】
上記ドア枠取付け用部材が金属製のジョイナである請求項１記載のドア枠の取付け構造。
【発明の詳細な説明】
【０００１】
【発明の属する技術分野】
本発明は、ドア枠を取付けるための構造に関する。さらに詳しくは、ドア枠を、該ドア枠を取付けるために用いる部材に、ネジ留めして取付けるための構造に関する。
【０００２】
【従来の技術】
建物の中で、たとえば、浴室にドアを取付ける場合、ドアと、このドアを蝶番を介して組み付けるためのドア枠とが１セットになったドアユニットを用いることが一般的に行なわれている。このとき、まずドア枠を、ドア枠取付け用部材に固定して浴室に開口部を設け、この開口部に、ドア本体を蝶番を介して回動自在に組み付ける。図７は、浴室のコーナー部に、上記のドア枠を取付ける状態を示す説明図である。図７からよくわかるように、ドア枠３は、ドア枠取付け用部材４としてのジョイナにネジ２とナット７１によって取付けられ、ジョイナは壁パネルＰに固定される。このようにして、浴室のコーナー部に設けられた、ドア枠３からなる開口部に、ドアＤが回動自在に組み付けられる。
【０００３】
図７において、ドア枠３には挿通孔３１が、また、ドア枠取付け用部材４としてのジョイナには、挿通孔４１が、それぞれ、ネジ２の径よりも多少大きく穿たれており、ネジ２は、上記挿通孔３１、４１を遊挿して、ナット７１と螺合し、ドア枠３を、ドア枠取付け用部材４にしっかりと取付ける。施工現場においては上記の作業を行うのであるが、しかし、サイズの多少の違いや、材料の歪み等を現場で調整しながら組み立てなければならないため、上記挿通孔３１、４１の遊びを利用して微妙な寸法調整を行ないながら仮止めをし、最後に本締めを行なう等、繁雑な作業が必要である。このとき、手でナットを保持しながら、ネジ２を締め付けたり、緩めたりする際、ナット７１を落とすことがしばしばあり、作業効率が落ちるという問題点がある。また、リフォームの場合等、ドア枠３を取り外す際にも、ナット７１が落下するという問題点もある。
【０００４】
上記問題点を解決するため、予めナット７１を溶接で固定したり、上記挿通孔３１、４１を透孔とせずに、雌ネジを螺設する等の方法が提案されているが、上記した施工現場での微調整作業を行なう際、作業がし難く、十分満足できるものとはいえない。本発明はこのような状況の下で考え出されたものであって、ドア枠をドア枠取付け用部材に、作業性よく、簡単に取付けるための取付け構造を提供することを、その課題とする。
【０００５】
上記課題を解決するために、本発明においては、つぎのような技術的手段を講じている。すなわち、本発明によれば、ドア枠を、該ドア枠を取付けるために用いる部材に、ネジと、ネジ螺合用治具とによってネジ留めするための構造であって、該ネジ螺合用治具が、脚部を延設したナット部と、上記ドア枠取付け用部材に設けられるとともに、上記脚部を嵌挿して上記ナット部を支持するナット支持部と、から構成されることを特徴とする、ドア枠の取付け構造が提供される。このように構成することにより、ナット部がその脚部をナット支持部に嵌挿された状態で支持されるとともに、共回りも防げるため、ナット部が落下することなしに、作業性よく、ドア枠をドア枠取付け用部材に取付けることができる。
【０００６】
上記ナット支持部が、上記ナット部に延設された脚部を上下方向に嵌挿する嵌挿部を備えるように、上記ドア枠取付け用部材に設けられることが好ましい。このようにすることによって、上記ナット支持部が、上記脚部を嵌挿してナット部を支持するとともに、ネジを螺入する際には、ナット部の共回りも防げるため、ネジを上記ナット部にしっかりと螺合することができる。
【０００７】
また、上記ナット支持部が上記ドア枠取付け用部材に穿設された横長の長孔とされているとともに、上記ナット部に延設された脚部が、該長孔に貫入し、上記ドア枠とドア枠取付け用部材との隙間に垂下するように屈曲されていてもよい。このようにすることによって、たとえば、金属製のフレームに上記長孔を穿設すれば、この長孔を上記ナット支持部とすることができるため、さらに簡単にドア枠を取付けることができる。
【０００８】
さらに、上記ナット支持部が上記ドア枠取付け用部材に穿設された上下２つの横長の長孔とされているとともに、上記ナット部の上下に相対向して延設された屈曲自在の２本の脚部が、上記各々の長孔に貫入し、上記ドア枠とドア枠取付け用部材との隙間内で上下に広がるように折り曲げられてもよい。このようにすることによって、たとえば、金属製のフレームに上記２つの長孔を穿設してこれらを上記ナット支持部とすれば、上記ナット部は、ドア枠とドア枠取付け用部材との隙間で上下２本の脚部によって支持されるため、簡単に、かつ、しっかりとドア枠を取付けることができる。
【０００９】
上記ドア枠取付け用部材が金属製のジョイナとされてもよい。このジョイナにドア枠を取り付けることによって、たとえば、浴室のコーナーにドア本体を取付けるための空間を、作業性よく、簡単に設けることができる。
【００１０】
【発明の実施の形態】
【実施例】
以下、本発明の好ましい実施の形態について、実施例により、図面を参照しながら、詳細に説明する。
【００１１】
【実施例１】
図１は、本発明にかかるドア枠の取付け構造の実施例１を示す分解斜視図である。なお、従来技術を説明する図７と共通する部分については、図７に示す符号を援用し、図７も参照して説明する。本発明にかかるドア枠の取付け構造は、通常、複数組のネジ２とネジ螺合用治具１とを用いて、ドア枠３をドア枠取付け用部材４（ジョイナ）に取付けるが、図１にはそのうちの１組を示す。図１からよくわかるように、ネジ螺合用治具１は、ナット部１１と、ナット部１１に延設された脚部１１１、およびナット支持部１２から構成されている。ナット部１１は、その脚部１１１をナット支持部１２の嵌挿部１２１に上下方向に嵌挿して支持される。図１において、上記ナット支持部１２は、後付けされた形態を示しているが、ドア枠取付け用部材４を金属フレームから構成し、切り起こした形態としてもよい。
【００１２】
以下本実施例に示したネジ螺合用治具１を用い、ドア枠３をドア枠取付け用部材４に取付ける操作について、図１、図７を参照して説明する。まず、ナット部１１を、その脚部１１１を上記嵌挿部１２１に嵌挿させ、ナット支持部１２によって支持させる。ついで、ネジ２を挿通孔３１、４１に遊挿させ、上記ナット支持部１２によって支持されたナット部１１に浅く螺合させる。このとき、初め、ナット部１１に手を添えると、螺合をスムースに行なうことができる。以下、つぎつぎと、上記と同様に操作して、各ネジ２を、ネジ螺合用治具１にネジ留めし、ドア枠３をドア枠取付け用部材４に仮止めする。全体バランスの調整を行なった後、つぎに本締めを行なう。本締めの際は、ナット部１１が逃げたり、落ちたりしないため、手を使う必要はない。また、ナット部１１は、ナット支持部１２によって、脚部１１１を介してしっかりと支持、固定さているため、共回りをすることなく各々のネジ２をネジ留めすることができる。その結果、ドア枠３をドア枠取付け用部材４にしっかりと取付けることができる。このようにして、ドア枠３を、ドア枠取付け用部材４に取付けたときの側面図を図２に示す。
【００１３】
【実施例２】
上記実施例１は、ドア枠３と、ドア枠取付け用部材４とを密着して取付ける場合について示したが、たとえば、ドア枠取付け用部材４を金属製のフレーム等から構成し、ドア枠３との間に隙間Ｓを設けて取付ける場合がある。このときは、図３に示すように、ナット部１１に延設された脚部１１２を、その先端が隙間Ｓ内に垂下するように屈曲させる。ついで、ドア枠取付け用部材４に穿設したナット支持部として機能する横長の長孔１３に上記脚部１１２を貫入させる。以後、実施例１と同様に操作をすれば、ドア枠３をドア枠取付け用部材４にしっかりと取付けることができる。本実施例に示すネジ螺合用治具を用いて、ドア枠３を、ドア枠取付け用部材４に取付けたときの側面図を図４に示す。
【００１４】
【実施例３】
本実施例は、実施例２と同様に、ドア枠３と、ドア枠取付け用部材４とが隙間Ｓを介して設けられている場合等に適用される。本実施例における実施形態を図５に示す。図５からよくわかるように、ナット部１１には、その上下に、相対向する２本の脚部１１３、１１４が屈曲自在に延設されている。また、ドア枠取付け用部材４には、ほぼ直角に折り曲げられた上記脚部１１３、１１４の相当する位置に横長の２つの長孔１４、１５が穿設され、上記脚部１１３、１１４は、この２つの長孔１４、１５に貫入された後、上下に折り広げられてナット部１１を支持する。以後、実施例１と同様に操作をすれば、ドア枠３をドア枠取付け用部材４にしっかりと取付けることができる。本実施例に示すネジ螺合用治具を用いて、ドア枠３を、ドア枠取付け用部材４に取付けたときの側面図を図６に示す。
【００１５】
上記実施例は、浴室のコーナー部において、ドア枠３をドア枠取付け用部材４に取付ける場合について説明したが、本発明にかかるドア枠の取付け構造は、通路枠、障子枠、化粧枠、引戸枠等の種々の無目枠に適用することが可能であり、何れの場合も本発明の技術的範囲に属する。
【００１６】
【発明の効果】
以上述べたように、請求項１に記載の発明は、ドア枠３を、該ドア枠を取付けるために用いる部材４に、ネジ２と、ネジ螺合用治具１とによってネジ留めするための構造であって、該ネジ螺合用治具１が、脚部１１１を延設したナット部１１と、上記ドア枠取付け用部材４に設けられるとともに、上記脚部１１１を嵌挿して上記ナット部１１を支持するナット支持部１２と、から構成されることを特徴とする、ドア枠の取付け構造である。このように構成することにより、ナット部１１がその脚部１１１をナット支持部１２で支持されるとともに、共回りも防げるため、ナット部１１が落下することなしに、作業性よく、ドア枠３をドア枠取付け用部材４に取付けることができる。
【００１７】
請求項２に記載の発明は、上記ナット支持部１２が、上記ナット部１１に延設された脚部１１１を上下方向に嵌挿する嵌挿部１２１を備えるように、上記ドア枠取付け用部材４に設けられることが好ましい。このようにすることによって、請求項１に記載の発明の効果に加えて、上記ナット支持部１２が、上記脚部１１１を嵌挿してナット部を支持するとともに、ネジ２を螺入する際には、ナット部１１の共回りも防げるため、ネジ２を上記ナット部１１にしっかりと螺合することができる。
【００１８】
請求項３に記載の発明は、上記ナット支持部１２が上記ドア枠取付け用部材４に穿設された横長の長孔１３とされているとともに、上記ナット部１１に延設された脚部１１２が、該長孔１３に貫入し、上記ドア枠３とドア枠取付け用部材４との隙間Ｓに垂下するように屈曲される。このようにすることによって、請求項１に記載の発明の効果に加えて、たとえば、金属製のフレームに上記長孔１３を穿設すれば、この長孔１３を上記ナット支持部１２とすることができるため、さらに簡単にドア枠を取付けることができる。
【００１９】
請求項４に記載の発明は、上記ナット支持部１２が上記ドア枠取付け用部材４に穿設された上下２つの横長の長孔１４、１５とされているとともに、上記ナット部１１の上下に相対向して延設された屈曲自在の２本の脚部１１３、１１４が、上記各々の長孔１４、１５に貫入し、上記ドア枠３とドア枠取付け用部材４との隙間Ｓで上下に広がるように折り曲げられる。このようにすることによって、請求項１に記載の発明の効果に加えて、たとえば、金属製のフレームに上記２つの長孔１４、１５を穿設してこれらを上記ナット支持部１２とすれば、上記ナット部１１は、ドア枠３とドア枠取付け用部材４との隙間Ｓで上下２本の脚部１１３、１１４によって支持されるため、簡単に、かつ、しっかりとドア枠を取付けることができる。
【００２０】
請求項５に記載の発明は、上記ドア枠取付け用部材４が金属製のジョイナとされる。このジョイナにドア枠３を取付けることによって、請求項１に記載の発明の効果に加えて、たとえば、浴室のコーナーにドア本体を取付けるための空間を、作業性よく、簡単に設けることができる。
【図面の簡単な説明】
【図１】本発明の実施例１におけるドア枠の取付け構造を示す分解斜視図である。
【図２】本発明の実施例１におけるドア枠の取付け構造を示す側面図である。
【図３】本発明の実施例２におけるドア枠の取付け構造を示す分解斜視図である。
【図４】本発明の実施例２におけるドア枠の取付け構造を示す側面図である。
【図５】本発明の実施例３におけるドア枠の取付け構造を示す分解斜視図である。
【図６】本発明の実施例３におけるドア枠の取付け構造を示す側面図である。
【図７】公知のドア枠の取付け構造を示す分解斜視図である。
【符号の説明】
１　　　　　ネジ螺合用治具
１１　　　　ナット部
１１１　　　ナット部に延設された脚部
１１２　　　ナット部に延設され屈曲部を有する脚部
１１３　　　　　　ナット部の下部に延設され屈曲自在の脚部
１１４　　　ナット部の上部に延設され屈曲自在の脚部
１２　　　　ナット支持部
１２１　　　嵌挿部
１３　　　　横長の長孔
１４　　　　横長の下部長孔
１５　　　　横長の上部長孔
２　　　　　　　　　　ネジ
３　　　　　ドア枠
３１　　　　挿通孔
４　　　　　ドア枠取付け用部材
４１　　　　挿通孔
７１　　　　公知技術におけるナット
Ｄ　　　　　ドア
Ｐ　　　　　壁パネル
Ｓ　　　　　隙間
【図１】
2004052352.tif 000003
【図２】
2004052352.tif 000004
【図３】
2004052352.tif 000005
【図４】
2004052352.tif 000006
【図５】
2004052352.tif 000007
【図６】
2004052352.tif 000008
【図７】
2004052352.tif 000009